(57)【特許請求の範囲】
【請求項１】
下アーム(1) と上アーム(2) を有しており、下アーム(1) に対して上アーム(2) が跳ね上がる構造の足括り罠に使用するものであって、
上記下アーム(1) の下アームシャフト(10)に取着するための手段を有するロッド(12)と、
当該ロッド(12)に設けられ、上記下アーム(1) と上アーム(2) が閉じた状態から上アーム(2) が跳ね上がらないように係止するための手段を設けることができるアーム止具(14)と、
を備えており、
上記アーム止具(14)の基部には捕獲ワイヤー(5) を案内する案内部材を取り付けるための手段が設けてあることを特徴とする、
下アーム側先端具。
【請求項２】
下アーム(1)と上アーム(2) を有しており、下アーム(1) に対して上アーム(2) が跳ね上がる構造の足括り罠に使用するものであって、
上記下アーム(1) の下アームシャフト(10)に取着するための手段を有するロッド(12)と、
当該ロッド(12)に設けられ、上記下アーム(1) と上アーム(2) が閉じた状態から上アーム(2) が跳ね上がらないように係止するための手段を有するアーム止具(14)と、
を備えており、
上記アーム止具(14)の基部には捕獲ワイヤー(5) を案内する案内部材が設けてあることを特徴とする、
下アーム側先端具。
【請求項３】
アーム止具(14)には、案内部材の下部側の空間部に通じ、捕獲ワイヤー(5) を通り抜けさせることができる通過口(143) が設けてあることを特徴とする、
請求項１または２記載の下アーム側先端具。
【請求項４】
案内部材が滑車(148) であることを特徴とする、
請求項１、２または３記載の下アーム側先端具。
【請求項５】
型成形により形成してあることを特徴とする、
請求項１、２、３または４記載の下アーム側先端具。
【請求項６】
下アーム(1) と、
当該下アーム(1)に互いに拡開する方向に付勢して設けてあり、先部には捕獲ワイヤー(5) を引き上げる上アーム側先端具(21)を有する上アーム(2) と、
滑り具(51)を含むループ状の捕獲部(50)を有し、上記滑り具(51)が捕獲ワイヤー(5) に沿って移動することにより上記捕獲部(50)が絞られる捕獲ワイヤー(5) と、
上記上アーム(2) を付勢力に抗した状態で下アーム先端具(11)に係止するための踏み板受具(3) と、
を備えている跳上式の足括り罠であって、
上記下アーム(1) の下アームシャフト(10)には、請求項１、２、３、４または５記載の下アーム側先端具が取り付けてあることを特徴とする、
足括り罠。
【発明の詳細な説明】
【０００１】
【発明の属する技術分野】
本発明は足括り罠用の下アーム側先端具及びそれを備えた足括り罠に関するものである。更に詳しくは、下アームと上アームを備え、両アームの間を拡開させてワイヤーを引き絞る跳ね上げ式の足括り罠において、作動後の罠本体がワイヤーから短い時間で確実に外れるようにした足括り罠用の下アーム側先端具及びそれを備えた足括り罠に関する。
【０００２】
【従来技術】
動物用罠において、下アームと上アームを備え、両アームの間を拡開させてワイヤーを引き絞る跳ね上げ式の足括り罠は、捕獲効率に優れ、猪等の中型獣用の罠として普及している。このような足括り罠も市場の要求により軽量化が進んでおり、その中で製造の簡略化をも図った罠として、図１１、図１２に示す特開平９−２７５８８０号公報に記載されたものがある。
図１１は足括り罠の作動状態を示す説明図、図１２は足括り罠に使用されている下アーム側先端具の斜視図である。
【０００３】
従来の足括り罠は下アーム１の先端部に図１２に示す下アーム側先端具１１ｆを備え、上アーム２の先端部には上アーム側先端具２１ｆを備えている。これら先端具はアルミニウム合金製で、ロストワックス法やダイキャスト法により型成形された鋳造物である。
このため、軽量のアルミニウムを使用している分だけ罠の重量が軽くなっている。また、下アーム側先端具１１ｆでは、上面に設けてあるアーム止具１４ｆや滑車取付具１２９を溶接等により後付けする必要がないので罠の製造も比較的容易にできるようになっている。
【０００４】
【発明が解決しようとする課題】
しかし、上記したような従来の足括り罠には、次のような課題があった。
すなわち、罠作動後においては捕獲獣が暴れるので、罠本体の損傷を最小限に抑えるために、罠本体は捕獲ワイヤーから分離するようになっている。つまり、罠本体は捕獲獣が暴れることによって極端な緊張と弛緩が繰り返される捕獲ワイヤーを軸として振り回され、最後には罠本体と捕獲ワイヤーとを結び付けている滑車や番線等がちぎれ飛んで捕獲ワイヤーから分離する。
【０００５】
ところが、従来の罠では下アーム側先端具１１ｆのアーム止具１４ｆと滑車取付具１２９が所定の間隔をおいて別々に設けられているため（図１２参照）、罠本体が振り回されるときにアーム止具１４ｆと滑車取付具１２９に捕獲ワイヤー５が複雑に絡まってしまうことがあった。
このように捕獲ワイヤー５が絡まると、罠本体が捕獲ワイヤー５から外れるまでに通常よりも時間がかかったり、最後まで捕獲ワイヤー５から外れずに罠本体が立木などに繰り返し衝突して破壊されてしまったり、あるいは罠本体によって捕獲獣が傷を負ったり致命傷を受けてしまうこともあった。
【０００６】
（目的）
本発明は上記課題を解消するもので、下アームと上アームを備え、両アームの間を拡開させてワイヤーを引き絞る跳ね上げ式の足括り罠において、罠作動後に罠本体が振り回されるときに下アーム側先端具にワイヤーが複雑に絡み付くことを防止して、罠本体が短い時間で確実にワイヤーから外れるようにし、罠本体が立木などに繰り返し衝突して破壊されてしまったり、罠本体によって捕獲獣が傷を負ったり致命傷を受けてしまうことを防止できる足括り罠用の下アーム側先端具及びそれを備えた足括り罠を提供することを目的とする。
【０００７】
【課題を解決するための手段】
上記目的を達成するために講じた本発明の手段は次のとおりである。
第１の発明にあっては、
下アームと上アームを有しており、下アームに対して上アームが跳ね上がる構造の足括り罠に使用するものであって、
上記下アームの下アームシャフトに取着するための手段を有するロッドと、
当該ロッドに設けられ、上記下アームと上アームが閉じた状態から上アームが跳ね上がらないように係止するための手段を設けることができるアーム止具と、を備えており、
上記アーム止具の基部には捕獲ワイヤーを案内する案内部材を取り付けるための手段が設けてあることを特徴とする、
下アーム側先端具である。
【０００８】
第２の発明にあっては、
下アームと上アームを有しており、下アームに対して上アームが跳ね上がる構造の足括り罠に使用するものであって、
上記下アームの下アームシャフトに取着するための手段を有するロッドと、
当該ロッドに設けられ、上記下アームと上アームが閉じた状態から上アームが跳ね上がらないように係止するための手段を有するアーム止具と、
を備えており、
上記アーム止具の基部には捕獲ワイヤーを案内する案内部材が設けてあることを特徴とする、
下アーム側先端具である。
【０００９】
第３の発明にあっては、
アーム止具には、案内部材の下部側の空間部に通じ、捕獲ワイヤーを通り抜けさせることができる通過口が設けてあることを特徴とする、
第１または第２の発明に係る下アーム側先端具である。
【００１０】
第４の発明にあっては、
案内部材が滑車であることを特徴とする、
第１、第２または第３の発明に係る下アーム側先端具である。
【００１１】
第５の発明にあっては、
型成形により形成してあることを特徴とする、
第１、第２、第３または第４の発明に係る下アーム側先端具である。
【００１２】
第６の発明にあっては、
下アームと、
当該下アームに互いに拡開する方向に付勢して設けてあり、先部には捕獲ワイヤーを引き上げる上アーム側先端具を有する上アームと、
滑り具を含むループ状の捕獲部を有し、上記滑り具が捕獲ワイヤーに沿って移動することにより上記捕獲部が絞られる捕獲ワイヤーと、
上記上アームを付勢力に抗した状態で下アーム先端具に係止するための踏み板受具と、
を備えている跳上式の足括り罠であって、
上記下アームの下アームシャフトには、第１、第２、第３、第４または第５の発明に係る下アーム側先端具が取り付けてあることを特徴とする、
足括り罠である。
【００１３】
案内部材としては、滑車の他、ロッド（棒体）等、捕獲ワイヤーの長さ方向に沿う移動を助けるかあるいは妨げない構造を持った部材が採用されるが、それらに限定されるものではない。
【００１４】
（作用）
本発明に係る足括り罠では、罠作動時に捕獲ワイヤーを案内する下アーム側の案内部材（滑車等）は、下アーム側先端具に設けてあるアーム止具の基部側に取り付けてある。
つまり、従来の足括り罠のように下アーム側先端具にアーム止具とは別に滑車取付具を設ける構造ではないので、罠本体が振り回されるときに捕獲ワイヤーが絡み付きにくくなる。
従って、捕獲ワイヤーが絡み付くことにより生じる上記様々な問題、すなわち、罠本体が捕獲ワイヤーから外れるまでに通常よりも時間がかかったり、最後まで捕獲ワイヤーから外れずに罠本体が立木などに繰り返し衝突して破壊されてしまったり、あるいは罠本体によって捕獲獣が傷を負ったり致命傷を受けてしまうような問題が生じるのを防止できる。
【００１５】
アーム止具に、案内部材の下部側の空間部に通じ、捕獲ワイヤーを通り抜けさせることができる通過口が設けてあるものは、罠本体が振り回されるときに捕獲ワイヤーが通過口を通ってすぐにアーム止具から外れるので、捕獲ワイヤーの絡み付きを確実に防止でき、罠本体がより短い時間で捕獲ワイヤーから外れる。
また、罠を仕掛ける際、捕獲ワイヤーを通過口から通し入れることによってアーム止具の案内部材に捕獲ワイヤーを掛ける作業が簡単にできるようになる。
【００１６】
下アーム側先端具が型成形により形成してあるものは、正確な寸法で形成されるので、罠の作動が正確である。
また、罠の製造においては、型成形により形成してある下アーム側先端具を下アームシャフトの先端部に固着するだけでよく、作業に特に熟練は必要としないので、足括り罠の大量生産が可能となり、製造コストも安価にできる。
更に、下アームシャフトの長さを変えるだけで（当然に上アームシャフトの長さも変える必要がある）、設置場所の地形や目的獣など仕掛けの条件に合った異なる大きさの罠を簡単に製造することができる。
【００１７】
【発明の実施の形態】
本発明の実施の形態を図面に基づき更に詳細に説明する。
図１は本発明に係る足括り罠の第１の実施の形態を示す斜視図、
図２は図１に示す足括り罠に使用されている下アーム側先端具の斜視図、
図３は図１に示す足括り罠に使用されている上アーム側先端具の斜視図である。
なお、図２では、下アーム側先端具の型成形品のみを表しており、滑車や固定棒ホルダーあるいはそれらを取着するピン等は図示を省略している。また、これは後述する図５、図６、図７及び図９、図１０についても同様である。
【００１８】
足括り罠Ａ１は下アーム１と、跳ね上がることにより後述する捕獲ワイヤー５のループ状の捕獲部５０を先端部で引き絞る上アーム２を備えている。
下アーム１は下アームシャフト１０を備えている。下アームシャフト１０の先端部には下アーム側先端具１１が設けてある。
下アーム側先端具１１は、後述する上アーム側先端具２１及び基部部材Ｓと同様にロストワックス法による精密鋳造で型成形されている。なお、材料は、通常は軽量なアルミニウム合金が使用されるが、他の金属を使用することもできる。
【００１９】
下アーム側先端具１１はロッド１２を備えている。ロッド１２の先端部には縦方向に切欠されて掛止隙間部１２０が設けてある。ロッド１２の後端部には下アームシャフト１０を差込む差込み口１２３が設けてある。ロッド１２の先部のうち、掛止隙間部１２０の中間部分とその後部には、ロッド１２を横に貫通して軸孔１２１、１２２が設けてある。
【００２０】
先部側の軸孔１２１には掛止ピンＰ１が掛止隙間部１２０を横切るようにして固定してある。また、後部側の軸孔１２２には固定棒ホルダー１３（図１に図示、図２では省略）が軸ピンＰ２によって回動可能に取り付けてある。固定棒ホルダー１３の下部はほぼ円筒状に形成されており、上部の後部側には下アーム１を固定棒ホルダー１３の軸線方向と直角状態で支える受具１３０が設けてある。
【００２１】
ロッド１２の上面側の後部寄りには、アーム止具１４が設けてある。アーム止具１４は、ロッド１２に立設された側板１４０と、側板１４０に水平板１４１を介し平行に固着されている側板１４２を備えている。なお、側板１４２は側板１４０より縦方向が短く形成されており、側板１４２の下端部はロッド１２上面と接続されておらず、双方の間には、通過口１４３が形成してある。
側板１４０、１４２の上部側と下部側にはそれぞれ相対向する軸孔１４４、１４５が設けてある。また、側板１４０の後部側端縁部は垂直（ロッド１２と直角）に形成してあり、罠作動時において捕獲ワイヤー５が引っ掛かりにくいようにしている。
【００２２】
上部側の各軸孔１４４間には、ストッパーネジ１４６が装着されており、その先端部には蝶ナット１４７が螺合されて抜け防止が図られる。ストッパーネジ１４６は、罠の仕掛け前に上アーム２が跳ね上がらないようにするための安全装置となる。
また、下部側の各軸孔１４５間には、後述する上アーム側先端具２１の滑車２３２と同様にして案内部材である滑車１４８が装着されている。すなわち、滑車１４８はヘッド部を有する軸ネジ（図では見えない）により側板１４０、１４２間に配置され、軸ネジの先部にゴムリング（図では見えない）とナット１４９を取り付けて装着される。
【００２３】
ロッド１２の下面側の後端部には、バネ掛止具１６が設けてある。バネ掛止具１６の前部にはコイルバネ１８の一端部を掛止する斜め下方へ切り込まれた掛止部１６０が設けてある。
なお、下アーム側先端具１１は下アームシャフト１０先端部に差込み口１２３をはめ入れ、更に溶接によって固着されている。
【００２４】
上アーム２は上アームシャフト２０を備えている。上アームシャフト２０の先端部には上アーム側先端具２１が設けてある。上アームシャフト２０の中間部には横方向へ貫通した通孔２５が設けてある。上アーム側先端具２１はロストワッックス法による精密鋳造で型成形されている。
上アーム側先端具２１はロッド２２を備えている。ロッド２２の先端部には斜め下方へ傾斜したワイヤー絞り具２３が設けてある。ロッド２２の後端部には、上アームシャフト２０の先端部を差し込むための差込み口２４が設けてある。
【００２５】
図３を参照する。
ワイヤー絞り具２３は所要間隔をおいて設けられた側板２３０を備えている。各側板２３０には、それぞれ軸孔２３８が設けてある。各側板２３０の前部には、この軸孔２３８を中心とする円弧状に張出したガード部２３１が設けてある。ガード部２３１の縁部は、側板２３０間に装着される滑車２３２の周縁より張出すように設けてある。
ガード部２３１が設けてあることによって、罠作動時に後述する捕獲ワイヤー５の滑り具５１が当たったときに滑車２３２が破損しないので、例えば捕獲に失敗して滑車２３２が残っている場合には、そのまま使用することができる。また、滑車２３２の周縁部がガード部２３１の縁部より内側にあるので、罠作動時に草などを巻き込みにくく、滑車２３２の回転に支障をきたすことを防止できる。
【００２６】
また、従来の罠では上アームが跳ね上がるときに滑り具の下縁部が踏み板受具を掛止する掛止部に瞬間的に引っ掛かって固定され、滑り具が捕獲ワイヤーに沿ってスライドする際の抵抗が大きくなり、捕獲ワイヤーの捕獲部を引き絞るタイミングが遅れて獲物を逃がしてしまうことがあった。
しかし、本発明に係る罠ではガード部２３１が前方に張出していることによって、滑り具５１が後述する掛止片２３３に引っ掛ることはなく、捕獲ワイヤー５の捕獲部５０を引き絞るタイミングが遅れることもない。
【００２７】
各側板２３０の下端部には、上部に平面部２３４を有する掛止片２３３が設けてある。上記滑車２３２はヘッド部を有する軸ネジ２３５により側板２３０間に配置され、軸ネジ２３５の先部にゴムリング２３６とナット２３７を取り付けて装着される。
なお、滑車２３２の上部側の隙間部分がワイヤー案内部２３９となっており、ワイヤー案内部２３９は、上アーム２の跳ね上がり時における上アーム２の作動平面と同一平面内に設けてある。上アーム側先端具２１は上アームシャフト２０先端部に差込み口２４をはめ入れ、更に溶接によって固着されている。
【００２８】
下アームシャフト１０の後部には下基部アーム１９が溶接により固着してある。また、上アームシャフト２０の後部には上基部アーム２９が溶接により固着してある。下基部アーム１９と上基部アーム２９は軸ピンＰ３により回動可能に軸着されて、基部部材Ｓを形成している。下基部アーム１９と上基部アーム２９はロストワックス法による精密鋳造で型成形されている。
下基部アーム１９の後部側は板状に形成されており、前端部はやや折曲され円管状に形成されて差込み口１９０が設けてある。
【００２９】
なお、符号１９１はストッパー段部であり、上基部アーム２９の後部側の前縁部が当たることにより下アーム１と跳上げアーム２が、罠作動時には常に一定の開き角度で開くようにしている（後述の図４参照）。
これによると、下アーム１と上アーム２の開き角が設計通りであることを前提とすれば、上アーム２の長さを基準に行う捕獲ワイヤー５の後述するストッパーピン５４の位置設定など罠のセッティングがしやすく、捕獲ワイヤー５を引き絞るタイミングが正確に設定でき、捕獲率も向上する。
上基部アーム２９の後部側は板状に形成されており、前端部はやや折曲され円管状に形成されて差込み口２９０が設けてある。また、上基部アーム２９の後端部には、付勢手段であるコイルバネ１８の一端部を掛止する掛止部２９１が設けてある。
【００３０】
下基部アーム１９と上基部アーム２９は、下アームシャフト１０、上アームシャフト２０先端部に差込み口１９０、２９０をはめ入れ、更に溶接によって固着されている。そして、掛止部１６０、２９１間には、上アーム２を跳ね上げ方向へ付勢するコイルバネ１８が取り付けられている。また、コイルバネ１８には円筒形で柔軟性を有する合成樹脂製のカバー１７が被せてある。
なお、掛止部２９１の下部はやや細く形成してあり、コイルバネ１８の装着後に当該部分をハンマーなどで叩いて変形させる。これにより、掛止部１６０が斜め下方へ切り込まれていることも相まって、コイルバネ１８は作動時の衝撃などによっても容易には外れない。
【００３１】
下アーム側先端具１１の掛止ピンＰ１と上アーム側先端具２１の掛止片２３３には踏み板受具３が掛止される。
踏み板受具３は踏み板４を受けるＬ板状の受部材３０を備えている。受部材３０の両端寄りには拡開片３１が立設されている。受部材３０の後部側中央部には、上部掛止部である上部掛止片３２が受部材３０に対して直角に設けてある。上部掛止片３２の下部には下部掛止片３３が垂設されている。下部掛止片３３の先端上部には下アーム側先端具１１の掛止ピンＰ１に回動可能に係合される係合凹部３４が設けてある（図４参照）。
この構造によれば、踏み板受具３は、罠作動時に掛止ピンＰ１を中心として下方へ回動し、上部掛止片３２による上アーム側先端具２１の掛止片２３３との掛止が解除されると同時に両アームから離脱する。なお、離脱しないように取り付けておくこともできる。
【００３２】
上アーム２と下アーム１には、捕獲用の捕獲ワイヤー５が装着される。捕獲ワイヤー５の先端部には金属板を曲げてＵ形状にして滑り具５１が取り付けてある。捕獲ワイヤー５の先端部は滑り具５１の一方の先部を貫通してストッパー５２で止めてある。捕獲ワイヤー５は先部でループ状の捕獲部５０をつくり、滑り具５１の基部に摺通可能に貫通させてある。
【００３３】
捕獲ワイヤー５は滑車２３２の上部を通ってワイヤー絞り具２３に挿通され、滑車１４８の下部を通ってアーム止具１４に挿通されている。なお、捕獲ワイヤー５はアーム止具１４の通過口１４３から通し入れることができるので、作業は簡単にできる。
捕獲ワイヤー５の後部側は、更に上アームシャフト２０の通孔２５に取り付けてある番線２６に通されて、後方へ延ばしてある。なお、捕獲ワイヤー５において番線２６より後部側にはストッパーピン５４（図４参照）が差込んである。捕獲ワイヤー５の後端部には猿環５３を介して延長ワイヤー６に接続されている。
【００３４】
（作  用）
図４は図１に示す足括り罠が作動した状態を示す説明図である。図１ないし図４を参照して足括り罠Ａ１の作用を説明する。
（１）足括り罠Ａ１を図１に示す状態で地面に仕掛ける。すなわち、固定棒ホルダー１３に木製の固定棒１３１を差し込んで固定する。地面に設置穴８を掘り、その底部に固定棒１３１を差して足括り罠Ａ１を固定する。
捕獲ロープ５の捕獲部５０を拡げて受部材３０に載置される踏み板４を囲むようにして拡げる。足括り罠Ａ１の上部には木の葉や土を適当に被せてカムフラージュする。そして、延長ワイヤー６の後端部は立木（図示省略）に繋がれる。
【００３５】
（２）捕獲対象獣が踏み板４を踏むと、その重さで踏み板受具３は掛止ピンＰ１を中心として下方へ回動し、上部掛止片３２による上部先端部材２１の掛止片２３３との掛止が解除されると同時に両アームから離脱する。これにより、上アーム２が跳ね上がり、下アーム１の後部側も同時に跳ね上がる。更に、捕獲ワイヤー５のストッパーピン５４が番線２６に掛かり、滑り具５１がワイヤー絞り具２３に当たって、捕獲部５０は捕獲対象獣の足に沿って上昇しながら急激に引き絞られて足を括る。
なお、ワイヤー絞り具２３のワイヤー案内部２３９は、上アーム２の軸線の作動平面と同一平面内に設けてあるので、罠作動時にワイヤー絞り具２３に瞬間的な荷重がかかったとき、滑車２３２がスムーズに回転する。従って、捕獲ワイヤー５の捕獲部５０を引き絞るタイミングが遅れることもなく、素早く十分な力で引き絞ることができ、捕獲確率が高くなる。
また、アーム止具１４とワイヤー絞り具２３が各アームの側部に突出していないので、近くの立木の枝や蔦に引っ掛かったり巻き付いたりして罠が回収しにくくなったり、あるいは破損してしまうことを防止できる。
【００３６】
（３）捕獲対象獣は、捕獲されると力の限り暴れるので、それによって番線２６は切れ、軸ネジ２３５等も抜けて滑車２３２、１４８がはずれ、捕獲ワイヤー５から下アーム１と上アーム２が離脱し、捕獲部５０で捕獲対象獣の足を括った状態で捕獲ワイヤー５だけが残る。
本発明に係る足括り罠Ａ１では、捕獲ワイヤー５を掛けるための下アーム１側の滑車１４８は、下アーム側先端具１１に設けてあるアーム止具１４の基部側に取り付けてある。
つまり、従来の足括り罠のように下アーム側先端具１１にアーム止具１４とは別に滑車取付具１２９（図１１、図１２に図示）を設ける必要がないので、罠本体が振り回されるときに捕獲ワイヤー５が絡み付きにくくなる。
従って、罠本体が捕獲ワイヤーから外れるまでに通常よりも時間がかかったり、最後まで捕獲ワイヤーから外れずに罠本体が立木などに繰り返し衝突して破壊されてしまったり、あるいは罠本体によって捕獲獣が傷を負ったり致命傷を受けてしまうような問題が生じるのを防止できる。
【００３７】
アーム止具１４のうち、滑車１４８が設けてある部分の近傍に、滑車１４８に掛けられる捕獲ワイヤー５を通り抜けさせるための通過口１４３が設けてあるので、罠本体が振り回されるときに捕獲ワイヤー５が通過口１４３を通ってすぐにアーム止具１４から外れる。これにより、捕獲ワイヤー５の絡み付きを確実に防止でき、罠本体がより短い時間で捕獲ワイヤー５から外れる。また、罠を仕掛ける際、捕獲ワイヤー５を通過口１４３から通し入れることによってアーム止具１４の滑車１４８に捕獲ワイヤー５を掛ける作業が簡単にできるようになる。
下アーム１の先端部の下アーム側先端具１１と上アーム２の先端部の上アーム側先端具２１及び基部部材Ｓを構成する下基部アーム１９と上基部アーム２９はロストワックス法による精密鋳造で型成形されている。従って、各部が正確な寸法で形成されるので、作動も正確である。更には、強度、剛性も十分であるので、作動時の衝撃による変形もしにくい。
【００３８】
図５はコイルバネ式足括り罠に使用する下アーム側先端具の第２の実施の形態を示す斜視図である。なお、図面において、上記下アーム側先端具１１と同一または同等箇所には同一の符号を付して示している。これについては、後述する下アーム側先端具１１ｂ、１１ｃ、１１ｄ、１１ｅにおいても同様である。
この下アーム側先端具１１ａは、上記足括り罠Ａ１より各アームが短い小型の罠用であり、ロッド１２ａは上記ロッド１２より短く形成してある。また、コイルバネ１８を掛けるバネ掛止具１６はロッド１２の中間部寄りに取り付けてあり、アーム止具１４ａは上記アーム止具１４と同様の構造である。
【００３９】
下アーム側先端具１１ａの作用については上記下アーム側先端具１１とほぼ同様であるので、説明は省略する。
当該下アーム側先端具１１ａでは、側板１４０の後部側端縁部が緩やかな円弧状に形成してあり、罠作動時において捕獲ワイヤー５が引っ掛かりにくいようにしている。
なお、後述する下アーム側先端具１１ｂ、１１ｃ、１１ｄ、１１ｅにおいても、側板１４０または側板１４２の何れか一方または双方の後部側端縁部が下アーム側先端具１１ａの側板１４０と同様に緩やかな円弧状に形成してあり、罠作動時において捕獲ワイヤー５が引っ掛かりにくいようにしている。
【００４０】
図６はコイルバネ式足括り罠に使用する下アーム側先端具の第３の実施の形態を示す斜視図である。
この下アーム側先端具１１ｂは、上記足括り罠Ａ１と同様に各アームが長い大型の罠用であり、ロッド１２ｂは上記ロッド１２と同じ長さに形成してある。  下アーム側先端具１１ｂに設けられているアーム止具１４ｂは、上記アーム止具１４と相違して通過口１４３が設けられていない構造である。
なお、下アーム側先端具１１ｂの作用については、罠作動時において捕獲ワイヤー５が滑車１４８が外れた後にアーム止具１４ｂから外れるという点を除いて上記下アーム側先端具１１とほぼ同様であるので、説明は省略する。
【００４１】
図７はコイルバネ式足括り罠に使用する下アーム側先端具の第４の実施の形態を示す斜視図である。
この下アーム側先端具１１ｃは、上記下アーム側先端具１１ａと同様に小型の罠用であり、ロッド１２ｃはロッド１２と同様の構造である。また、上記下アーム側先端具１１ｂと同様に、アーム止具１４ｃは通過口１４３が設けられていない構造である。
なお、下アーム側先端具１１ｃの作用については、罠作動時において捕獲ワイヤー５が滑車１４８が外れた後にアーム止具１４ｃから外れるという点を除いて上記下アーム側先端具１１とほぼ同様であるので、説明は省略する。
【００４２】
図８は本発明に係る足括り罠の第２の実施の形態を示す斜視図、
図９は図８に示す足括り罠に使用されている下アーム側先端具の斜視図である。なお、図面において、上記足括り罠Ａ１と同一または同等箇所には同一の符号を付して示しており、同様の構造についての重複する説明は省略する。
足括り罠Ａ２は、コイルバネ１８を備えた足括り罠Ａ１とは相違して、二本のねじりコイルバネ９、９ａの反発力によって下アーム１と上アーム２の間が拡開する構造である。
【００４３】
すなわち、ねじりコイルバネ９、９ａの一端部９０は下アーム１の下アームシャフト１０の側部に溶接により固着されている。また、ねじりコイルバネ９、９ａの他端部９１は、その先端部に設けてあるフック９２を掛けて上アーム２の上アームシャフト２０にスライド可能に掛止してある。
なお、足括り罠Ａ２では、コイルバネ１８を掛けるためのバネ掛止具１６は設けられていない。上基部アーム２９は短く形成され、掛止部２９１も同様に設けられていない。
また、足括り罠Ａ２で使用されている下アーム側先端具１１ｄはアーム止具１４ｄに通過口１４３は設けられていない。
なお、足括り罠Ａ２の作用については、罠作動時に下アーム１と上アーム２の間がねじりコイルバネ９、９ａにより拡開するという点を除いて上記足括り罠Ａ１とほぼ同様であるので、説明は省略する。
【００４４】
図１０はねじりコイルバネ式足括り罠に使用する下アーム側先端具の第２の実施の形態を示す斜視図である。
下アーム側先端具１１ｅは下アーム側先端具１１ｄと相違して、アーム止具１４ｅの下部に上記下部アーム側先端具１１、１１ａと同様に通過口１４３が設けてある。
なお、下アーム側先端具１１ｅの作用については上記足括り罠Ａ１の下アーム側先端具１１とほぼ同様であるので、説明を省略する。
【００４５】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００４６】
【発明の効果】
本発明は上記構成を備え、次の効果を有する。
（ａ）本発明に係る足括り罠では、罠作動時に捕獲ワイヤーを案内するための下アーム側の案内部材（滑車等）は、下アーム側先端具に設けてあるアーム止具の基部側に取り付けてある。
つまり、従来の足括り罠のように下アーム側先端具にアーム止具とは別に滑車取付具を設ける構造ではないので、罠本体が振り回されるときに捕獲ワイヤーが絡み付きにくくなる。
従って、捕獲ワイヤーが絡み付くことにより生じる上記様々な問題、すなわち、罠本体が捕獲ワイヤーから外れるまでに通常よりも時間がかかったり、最後まで捕獲ワイヤーから外れずに罠本体が立木などに繰り返し衝突して破壊されてしまったり、あるいは罠本体によって捕獲獣が傷を負ったり致命傷を受けてしまうような問題が生じるのを防止できる。
【００４７】
（ｂ）アーム止具に、案内部材の下部側の空間部に通じ、捕獲ワイヤーを通り抜けさせることができる通過口が設けてあるものは、罠本体が振り回されるときに捕獲ワイヤーが通過口を通ってすぐにアーム止具から外れるので、捕獲ワイヤーの絡み付きを確実に防止でき、罠本体がより短い時間で捕獲ワイヤーから外れる。
また、罠を仕掛ける際、捕獲ワイヤーを通過口から通し入れることによってアーム止具の案内部材に捕獲ワイヤーを掛ける作業が簡単にできるようになる。
【００４８】
（ｃ）下アーム側先端具が型成形により形成してあるものは、正確な寸法で形成されるので、罠の作動が正確である。
また、罠の製造においては、型成形により形成してある下アーム側先端具を下アームシャフトの先端部に固着するだけでよく、作業に特に熟練は必要としないので、足括り罠の大量生産が可能となり、製造コストも安価にできる。
更に、下アームシャフトの長さを変えるだけで、設置場所の地形や目的獣など仕掛けの条件に合った異なる大きさの罠を簡単に製造することができる。
【図面の簡単な説明】
【図１】本発明に係る足括り罠の第１の実施の形態を示す斜視図。
【図２】図１に示す足括り罠に使用されている下アーム側先端具の斜視図。
【図３】図１に示す足括り罠に使用されている上アーム側先端具の斜視図。
【図４】図１に示す足括り罠が作動した状態を示す説明図。
【図５】コイルバネ式足括り罠に使用する下アーム側先端具の第２の実施の形態を示す斜視図。
【図６】コイルバネ式足括り罠に使用する下アーム側先端具の第３の実施の形態を示す斜視図。
【図７】コイルバネ式足括り罠に使用する下アーム側先端具の第４の実施の形態を示す斜視図。
【図８】本発明に係る足括り罠の第２の実施の形態を示す斜視図。
【図９】図７に示す足括り罠に使用されている下アーム側先端具の斜視図。
【図１０】ねじりコイルバネ式足括り罠に使用する下アーム側先端具の第２の実施の形態を示す斜視図。
【図１１】従来の足括り罠の作動状態を示す説明図。
【図１２】従来の足括り罠に使用されている下アーム側先端具の斜視図。
【符号の説明】
Ａ１  足括り罠
１  下アーム
１０  下アームシャフト
１１  下アーム側先端具
１２  ロッド
１２０  掛止隙間部
１２１、１２２  軸孔
１２３  差込み口
Ｐ１  掛止ピン
１３  固定棒ホルダー
Ｐ２  軸ピン
１３０  受具
１４  アーム止具
１４０  側板
１４１  水平板
１４２  側板
１４３  通過口
１４４、１４５  軸孔
１４６  ストッパーネジ
１４７  蝶ナット
１４８  滑車
１４９  軸ネジ
１６  バネ掛止具
１６０  掛止部
１７  カバー
１８  コイルバネ
２  上アーム
２０  上アームシャフト
２１  上アーム側先端具
２５  通孔
２２  ロッド
２３  ワイヤー絞り具
２３０  側板
２３８  軸孔
２３１  ガード部
２３２  滑車
２３３  掛止片
２３４  平面部
２３５  軸ネジ
２３６  ゴムリング
２３７  ナット
２３９  ワイヤー案内部
２４  差込み口
２５  通孔
２６  番線
Ｓ  基部部材
１９  下基部アーム
２９  上基部アーム
Ｐ３  軸ピン
１９０  差込み口
１９１  ストッパー段部
２９０  差込み口
２９１  掛止部
３  踏み板受具
３０  受部材
３１  拡開片
３２  上部掛止片
３３  下部掛止片
３４  係合凹部
４  踏み板
５  捕獲ワイヤー
５０  捕獲部
５１  滑り具
５２  ストッパー
５４  ストッパーピン
５３  猿環
６  延長ワイヤー
１１ａ  下アーム側先端具
１２ａ  ロッド
１１ｂ  下アーム側先端具
１２ｂ  ロッド
１４ｂ  アーム止具
１１ｃ  下アーム側先端具
１４ｃ  アーム止具
Ａ２  足括り罠
９、９ａ  ねじりコイルバネ
９０  一端部
９１  他端部
９２  フック
１１ｄ  下アーム側先端具
１４ｄ  アーム止具
１１ｅ  下アーム側先端具
１４ｅ  アーム止具
【図１】
0004183050.tif 000002
【図２】
0004183050.tif 000003
【図３】
0004183050.tif 000004
【図４】
0004183050.tif 000005
【図５】
0004183050.tif 000006
【図６】
0004183050.tif 000007
【図７】
0004183050.tif 000008
【図８】
0004183050.tif 000009
【図９】
0004183050.tif 000010
【図１０】
0004183050.tif 000011
【図１１】
0004183050.tif 000012
【図１２】
0004183050.tif 000013